(57)【要約】【課題】ライティングダクトが設けられていない場所に取り付けることができる送風装置および送風装置システムを提供する。【解決手段】ケーシング部１１は、電動機１１２および電動機１１２によって回転するファン１１３を有する。支持部材１２は、ケーシング部１１を支持する。取り付けプラグ１３は、支持部材１２が取り付けられる。天井固定部１７１，１７１Ａ，１７１Ｂは、天井材２−１に取り付けられた状態で固定される。取り付けプラグ１３の係合孔部１３２ａ，１３２ｂおよび天井固定金具１７１の係合爪部１７１２ａ，１７１２ｂは、取り付けプラグ１３と天井固定部１７１，１７１Ａ，１７２Ｂとを連結する。【選択図】図１
2017198106.tif 000002
【特許請求の範囲】
【請求項１】
電動機および当該電動機によって回転するファンを有したケーシング部と、
前記ケーシング部を支持する支持部材と、
前記支持部材が取り付けられた取り付けプラグと、
天井材に取り付けられた状態で固定される固定部と、
前記取り付けプラグと前記固定部とを連結する連結部と
を備えたことを特徴とする送風装置。
【請求項２】
前記固定部は、前記天井材を挟んだ状態で固定されることを特徴とする請求項１記載の送風装置。
【請求項３】
前記固定部は、
折れ曲がった板状の第１の片部と、
折れ曲がった板状の第２の片部と、
前記天井材に設けられた係合孔部の開口縁部の一方側に接触した前記第１の片部と前記係合孔部に差し込まれて前記係合孔部の開口縁部の他方側に接触した前記第２の片部とが前記係合孔部の開口縁部を挟んだ状態を固定する片部固定部と
を有することを特徴とする請求項２記載の送風装置。
【請求項４】
前記取り付けプラグとは別体に構成されて、前記天井材に設けられた照明用配線器具と電気的に接続される電源接続アダプタと、
前記電動機と前記電源接続アダプタとを電気的に接続する電源コードと
を備えたことを特徴とする請求項１から請求項３のうちのいずれか１項記載の送風装置。
【請求項５】
請求項４記載の送風装置と、
前記照明用配線器具に接続される第１のコネクタ部および前記電源接続アダプタが接続される第２のコネクタ部を有した接続アダプタと
を備えたことを特徴とする送風装置システム。
【請求項６】
前記接続アダプタは、照明器具が接続される第３のコネクタ部をさらに有したことを特徴とする請求項５記載の送風装置システム。
【請求項７】
前記接続アダプタは、前記電動機の動作を制御する制御回路を有することを特徴とする請求項５記載の送風装置システム。
【請求項８】
前記制御回路は、さらに照明器具の照明動作を制御することを特徴とする請求項７記載の送風装置システム。
【請求項９】
前記接続アダプタは、リモートコントローラから送信された制御信号を受信する受信部を有し、
前記制御回路は、前記受信部により受信された制御信号に応じた制御を行うことを特徴とする請求項７または請求項８記載の送風装置システム。
【発明の詳細な説明】
【技術分野】
【０００１】
この発明は、天井に設置される送風装置および送風装置システムに関する。
【背景技術】
【０００２】
従来から、天井に設けられたライティングダクトに取り付けられる送風装置が知られている。例えば、特許文献１には、支持ユニットによって送風の向きおよび角度を調整可能にライティングダクトに取り付けられる送風機が記載されている。
【先行技術文献】
【特許文献】
【０００３】
【特許文献１】実用新案登録第３１７２９００号
【発明の概要】
【発明が解決しようとする課題】
【０００４】
特許文献１に代表される従来の送風装置では、ライティングダクトへの取り付けを前提としているため、ライティングダクトがない天井には設置できないという課題があった。
また、ライティングダクトの制限荷重が照明で限度の重量になる場合には、送風装置をライティングダクトに取り付けることができない。
【０００５】
この発明は上記課題を解決するもので、ライティングダクトがない天井面に取り付けることができる送風装置および送風装置システムを得ることを目的とする。
【課題を解決するための手段】
【０００６】
この発明に係る送風装置は、ケーシング部、支持部材、取り付けプラグ、固定部および連結部を備えている。ケーシング部は、電動機および当該電動機によって回転するファンを有する。支持部材は、ケーシング部を支持する。取り付けプラグは、支持部材が取り付けられる。固定部は、天井材に取り付けられた状態で固定される。連結部は、取り付けプラグと固定部とを連結する。
【発明の効果】
【０００７】
この発明によれば、天井材に取り付けた状態で固定される固定部を有するので、ライティングダクトがない天井面にも送風装置を取り付けることができる。
【図面の簡単な説明】
【０００８】
【図１】この発明の実施の形態１に係る送風装置システムの構成例を示す側方断面図である。
【図２】実施の形態１に係る送風装置システムの構成例を示す正面図である。
【図３】実施の形態１に係る送風装置の構成例を示す斜視図である。
【図４】実施の形態１における支持部材の別の構成例を示す正面図である。
【図５】実施の形態１に係る送風装置の別の構成例を示す斜視図である。
【図６】実施の形態１における電源接続アダプタおよびライティングダクトの構成例を示す正面断面図である。
【図７】実施の形態１における電源接続アダプタの係合部およびライティングダクトの構成例を示す拡大断面図である。
【図８】図８Ａは、実施の形態１における天井引っ掛け金具の別の構成例を示す側方断面図である。図８Ｂは、図８Ａの天井引っ掛け金具を組み合わせた状態を示す側方断面図である。図８Ｃは、実施の形態１における天井取り付け部の別の構成例を示す側方断面図である。
【図９】図９Ａは、天井に設置された照明器具を示す図である。図９Ｂは、実施の形態１における接続アダプタを、天井に設置されたコンセントに取り付ける様子を示す図である。図９Ｃは、実施の形態１における接続アダプタに照明器具を接続した様子を示す図である。図９Ｄは、実施の形態１における接続アダプタに電源接続アダプタと照明器具とを接続した様子を示す図である。
【発明を実施するための形態】
【０００９】
実施の形態１．
図１は、この発明の実施の形態１に係る送風装置システム１の構成例を示す側方断面図であり、室内の天井面２に送風装置１０を取り付ける場合を示している。
また、図２は送風装置システム１の構成例を示す正面図である。図３は、送風装置１０の構成例を示す斜視図である。
図１に示すように、天井面２には、角型引掛コンセント３が設置されている。角型引掛コンセント３は、この発明における照明用配線器具を具体化した部材であって、送風装置１０は、角型引掛コンセント３を通して供給された電力により駆動する。
送風装置１０は、ユーザによって設定された方向、風量で風を吹き送る。この送風装置１０の送風動作は、リモートコントローラ（以下、リモコンと略す）４によって遠隔操作することが可能である。
【００１０】
また、送風装置１０は、ケーシング部１１、支持部材１２、取り付けプラグ１３、電源接続アダプタ１４、電源入力コード１５、電源出力コード１６および天井取り付け部１７を備えている。電源接続アダプタ１４は、接続アダプタ１８に接続される。
天井取り付け部１７は、取り付けプラグ１３が連結されて、天井面２に取り付けられた状態で固定される部材であり、天井固定金具１７１、化粧カバー１７２およびねじ１７３を備える。
【００１１】
接続アダプタ１８は、角型引掛コンセント３と電源接続アダプタ１４とを電気的および機械的に接続するアダプタであって、配線用接続部１８ａ、アダプタ用接続部１８ｂ、照明用接続部１８ｃ、リモコン受光部１８ｄおよびアダプタケース部１８ｅを備えている。
配線用接続部１８ａは、この発明における第１のコネクタ部を具体化したものであり、角型引掛コンセント３に接続される。アダプタ用接続部１８ｂは、この発明における第２のコネクタ部を具体化したものであり、電源接続アダプタ１４が接続される。照明用接続部１８ｃは、この発明における第３のコネクタ部を具体化したものであり、図９Ｂを用いて後述する照明器具が接続される。
また、接続アダプタ１８のアダプタケース部１８ｅに設けられたリモコン受光部１８ｄは、リモコン４から送信された制御信号を受光する。
【００１２】
ケーシング部１１は、円筒形の本体ケーシング１１１の内部に、電動機１１２と、電動機１１２により回転するファン１１３とを収容して構成される。
また、本体ケーシング１１１には、一方の端部に吸い込み口１１４が設けられ、他方の端部に吹き出し口１１５が設けられている。
【００１３】
支持部材１２は、ケーシング部１１を支持する部材であり、図２および図３に示すように、逆Ｕ字状に曲がった板状部材から構成されている。
支持部材１２の中央部には、支持部材１２と取り付けプラグ１３とを連結するプラグ側連結部１２１が設けられている。プラグ側連結部１２１は、支持部材１２を、天井面２の垂線周りに回動可能（図１、図２では水平方向に回動可能）に連結している。
【００１４】
支持部材１２の両端部には、ケーシング部１１を支持部材１２に連結するケーシング側連結部１２２が設けられる。ケーシング側連結部１２２は、ケーシング部１１を、天井面２に対して垂直な面に沿って回動可能（図１、図２では上下方向に回動可能）に連結している。なお、支持部材１２が逆Ｕ字形状である場合を示したが、図４に示すように軸形状であってもよい。
【００１５】
取り付けプラグ１３は、支持部材１２を天井取り付け部１７に固定する部材であって、一方の端部に支持部材１２が取り付けられ、他方の端部に天井取り付け部１７が取り付けられる。また、取り付けプラグ１３は、図３に示すように樹脂製のプラグケース１３１を有しており、プラグケース１３１の内部で、電源入力コード１５が電源出力コード１６に電気的に接続される。さらに、プラグケース１３１の円形の端面には、係合孔部１３２ａおよび係合孔部１３２ｂが設けられている。
【００１６】
係合孔部１３２ａおよび係合孔部１３２ｂは、図３に示すようにプラグケース１３１の端面の円周方向に沿った長穴である。係合孔部１３２ａの一端部は、径方向に拡大された拡大穴部１３２ａ−１となっており、係合孔部１３２ｂの他端部も、径方向に拡大された拡大穴部１３２ｂ−１となっている。なお、係合孔部１３２ａ，１３２ｂはプラグケース１３１とともに樹脂成型される。
【００１７】
天井固定金具１７１は、この発明における固定部を具体化した部材であり、板状の本体部１７１０、折り曲げ片部１７１１ａ，１７１１ｂおよび係合爪部１７１２ａ，１７１２ｂを備えている。折り曲げ片部１７１１ａ，１７１１ｂは、本体部１７１０の各端部から取り付け方向に延びた片部である。また、折り曲げ片部１７１１ａ，１７１１ｂの各端部は、天井面２の天井材２−１に接触させる平面部１７１１ａ−１，１７１１ｂ−１になっている。平面部１７１１ａ−１，１７１１ｂ−１には、ねじ挿入穴１７１３ａ，１７１３ｂが設けられている。さらに、本体部１７１０には、図３に示すように、折り曲げ片部１７１１ａ，１７１１ｂとは反対側に延びた係合爪部１７１２ａ，１７１２ｂが設けられている。
【００１８】
図１に示すように、天井固定金具１７１は、折り曲げ片部１７１１ａ，１７１１ｂが、天井面２を構成する天井材２−１に取り付けられた状態で固定される。
すなわち、折り曲げ片部１７１１ａ，１７１１ｂのねじ挿入穴１７１３ａ，１７１３ｂにそれぞれ通したねじ１７３は、天井材２−１を貫通してその裏面側の野縁Ａにねじ止めされる。これにより、折り曲げ片部１７１１ａ，１７１１ｂは、平面部１７１１ａ−１，１７１１ｂ−１と野縁Ａとの間で天井材２−１を挟んだ状態で固定される。
【００１９】
また、取り付けプラグ１３の係合孔部１３２ａ，１３２ｂおよび天井固定金具１７１の係合爪部１７１２ａ，１７１２ｂは、この発明における連結部を具体化した部材である。
取り付けプラグ１３と天井固定金具１７１とを連結させる場合、係合爪部１７１２ａ，１７１２ｂを拡大穴部１３２ａ−１，１３２ｂ−１に挿入してから、取り付けプラグ１３を拡大穴部１３２ａ−１，１３２ｂ−１とは反対方向に回動させる。これにより、係合爪部１７１２ａ，１７１２ｂが係合孔部１３２ａ，１３２ｂの細穴部の縁部に引っ掛け係合して、取り付けプラグ１３と天井固定金具１７１とが連結される。
【００２０】
係合爪部１７１２ａ，１７１２ｂと係合孔部１３２ａ，１３２ｂとの係合の外れおよび係合の弛みを防止する機構を設けてもよい。例えば、プラグケース１３１の端面と天井固定金具１７１の本体部１７１０とをねじ止めする。これにより、係合の外れおよび係合の弛みを防止することができる。なお、図３に示す構成では、化粧カバー１７２を省略してもよい。
【００２１】
また、取り付けプラグ１３のプラグケース１３１には、送風装置１０の制御回路を内蔵してもよい。この制御回路は、例えば、電動機１１２のオンオフ制御、ファン１１３の風量制御などを行う回路である。また、制御回路は、電源入力コード１５を通して電源接続アダプタ１４から供給された電力で動作してもよく、リモコン４から送信された制御信号を受信する機能を有していてもよい。この場合、制御回路は、リモコン４から受信した制御信号に応じて電源出力コード１６を通して電動機１１２に電力を供給することで、電動機１１２の動作を制御する。
【００２２】
電源接続アダプタ１４は、取り付けプラグ１３とは別体に構成され、角型引掛コンセント３の電極と電気的に接続される電気接点を有している。
例えば、電源接続アダプタ１４は、接続アダプタ１８を介して角型引掛コンセント３の電極から電力が供給される。
【００２３】
電源入力コード１５と電源出力コード１６とは、この発明における電源コードを具体化したものであり、電源接続アダプタ１４の上記電気接点と電動機１１２とを電気的に接続する。電源入力コード１５は、一方の端部が電源接続アダプタ１４に接続され、他方の端部が電源出力コード１６に接続されている。電源出力コード１６は、一方の端部が電源入力コード１５に接続され、他方の端部が電動機１１２に接続されている。
電源接続アダプタ１４からの電力は、電源入力コード１５と電源出力コード１６を介して電動機１１２に供給される。
【００２４】
また、この発明における支持部材は、図４に示すように構成してもよい。
支持部材１２Ａは軸形状の部材であって、一方の端部にプラグ側連結部１２３が設けられ、他方の端部にはケーシング側連結部１２４が設けられている。
プラグ側連結部１２３は、プラグ側連結部１２１と同様に、支持部材１２を天井面２の垂線周りに回動可能に連結している。また、ケーシング側連結部１２４は、ケーシング側連結部１２２と同様に、ケーシング部１１を天井面２に対して垂直な面に沿って回動可能に連結している。
【００２５】
さらに、この発明における連結部は、図５に示すように構成してもよい。
取り付けプラグ１３Ａは、取り付けプラグ１３と同様に、支持部材１２を天井取り付け部１７Ａに固定する部材であり、樹脂製のプラグケース１３１を有している。
このプラグケース１３１の円形の端面には、係合爪部１３３ａおよび係合爪部１３３ｂが設けられている。
【００２６】
天井固定金具１７１Ａは、円形の本体部１７１０Ａ、折り曲げ片部１７１１ａ，１７１１ｂおよび係合孔部１７１４ａ，１７１４ｂを備える。
折り曲げ片部１７１１ａ，１７１１ｂは、本体部１７１０Ａの円周上の対向する各端部から取り付け方向に延びた片部であり、折り曲げ片部１７１１ａ，１７１１ｂの各端部は平面部１７１１ａ−１，１７１１ｂ−１が設けられている。平面部１７１１ａ−１，１７１１ｂ−１には、ねじ挿入穴１７１３ａ，１７１３ｂが設けられている。さらに、本体部１７１０Ａには、図５に示すように係合孔部１７１４ａ，１７１４ｂが設けられている。
【００２７】
係合孔部１７１４ａと係合孔部１７１４ｂとは、本体部１７１０Ａの円周方向に沿った長穴である。係合孔部１７１４ａの端部は、径方向に拡大された拡大穴部１７１４ａ−１となっており、係合孔部１７１４ｂの端部も径方向に拡大された拡大穴部１７１４ｂ−１となっている。
【００２８】
取り付けプラグ１３Ａと天井固定金具１７１Ａとを連結させる場合に、取り付けプラグ１３Ａの係合爪部１３３ａ，１３３ｂを拡大穴部１７１４ａ−１，１７１４ｂ−１に挿入してから、取り付けプラグ１３Ａを、拡大穴部１７１４ａ−１，１７１４ｂ−１とは反対方向に回動させる。これによって、係合爪部１３３ａ，１３３ｂが係合孔部１７１４ａ，１７１４ｂの細穴部の縁部に引っ掛け係合した状態で、取り付けプラグ１３Ａと天井固定金具１７１Ａとが連結される。
【００２９】
係合爪部１３３ａ，１３３ｂと係合孔部１７１４ａ，１７１４ｂとの係合の外れおよび係合の弛みを防止する機構を設けてもよい。例えば、プラグケース１３１の端面と天井固定金具１７１Ａの本体部１７１０Ａとをねじ止めする。これによって、係合の外れおよび係合の弛みを防止することができる。なお、図４に示す構成では化粧カバー１７２を省略してもよい。
【００３０】
次に、電源接続アダプタ１４の構成について説明する。
図６は、電源接続アダプタ１４およびライティングダクト５の構成例を示す正面断面図である。図７は、電源接続アダプタ１４の係合部１４２およびライティングダクト５の構成例を示す拡大断面図である。電源接続アダプタ１４には、図６、図７に示すように、樹脂製のプラグケース１４１の端面に係合部１４２が設けられる。係合部１４２は、プラグケース１４１とともに樹脂成型され、ライティングダクト５の係合部５１に係合される。
【００３１】
また、図７に示すように、係合部１４２の内部には金属フック１４３がインサート成型されている。この金属フック１４３がライティングダクト５の係合部５１に係合される。
さらに、係合部１４２には電気接点１４４が設けられており、電気接点１４４は、ライティングダクト５の電極５２に電気的に接続される。電気接点１４４と電動機１１２は、電源入力コード１５および電源出力コード１６によって電気的に接続されている。
【００３２】
なお、これまで、電源入力コード１５と電源出力コード１６は、取り付けプラグ１３の内部で接続される構成を示したが、これに限定されるものではない。
例えば、電源接続アダプタ１４からの電力を、電源入力コード１５を介して電動機１１２に直接供給する構成であってもよい。この場合、この発明における電源コードは電源入力コード１５により実現される。
【００３３】
次に、天井取り付け部の別の構成例について説明する。
図８Ａは、天井引っ掛け金具１７４ａ，１７４ｂの構成例を示す側方断面図である。図８Ｂは、天井引っ掛け金具１７４ａ，１７４ｂを組み合わせた状態を示す側方断面図である。図８Ｃは、天井取り付け部１７Ａの構成例を示す側方断面図である。
図３に示した天井固定金具１７１および図４に示した天井固定金具１７１Ａは、天井側の野縁Ａにねじ止めする構成であったが、実際には天井に野縁Ａのない場所も多い。
そこで、以下に、野縁Ａのない天井面２への取り付けが可能な天井取り付け部について説明する。
【００３４】
天井取り付け部１７Ａは、図８Ｃに示すように、天井固定金具１７１Ｂ、化粧カバー１７２および天井引っ掛け金具１７４ａ，１７４ｂを備える。
天井固定金具１７１Ｂは、この発明における固定部を具体化した部材であって、本体部１７１０Ａ、折り曲げ片部１７１１ａ，１７１１ｂ、および係合爪部１７１２ａ，１７１２ｂを備えている。化粧カバー１７２は、天井固定金具１７１Ｂおよび天井引っ掛け金具１７４ａ，１７４ｂが外部に露出しないように被覆するカバー部材である。
【００３５】
天井取り付け部１７Ａの本体部１７１０Ａは、例えば、板状または円形の部材である。折り曲げ片部１７１１ａ，１７１１ｂは、この発明における第１の片部を具体化した部材であり、本体部１７１０Ａの各端部から取り付け方向に延びた片部である。折り曲げ片部１７１１ａ，１７１１ｂの各端部は、天井面２に接触させる平面部１７１１ａ−１，１７１１ｂ−１になっている。
【００３６】
ただし、天井固定金具１７１と異なり、平面部１７１１ａ−１，１７１１ｂ−１には、ねじ挿入穴が設けられておらず、ねじ挿入穴１７１５ａ，１７１５ｂが本体部１７１０Ａに設けられている。本体部１７１０Ａには、図８Ｃに示すように、係合爪部１７１２ａ，１７１２ｂが設けられている。
なお、係合爪部１７１２ａ，１７１２ｂは、本体部１７１０Ａにおいて折り曲げ片部１７１１ａ，１７１１ｂとは反対側に延びた係合爪部である。
【００３７】
天井引っ掛け金具１７４ａ，１７４ｂは、この発明における固定部を具体化した部材であり、板状の本体部１７４１ａおよび引っ掛け片部１７４２ａを備える。
本体部１７４１ａ，１７４１ｂは、例えば、板状の部材である。
また、本体部１７４１ａには、ねじ穴１７４３ａ，１７４４ａが設けられ、本体部１７４１ｂには、ねじ挿入穴１７４３ｂとねじ穴１７４４ｂが設けられている。
引っ掛け片部１７４２ａ，１７４２ｂは、この発明における第２の片部を具体化したものであり、本体部１７４１ａ，１７４１ｂの一方の端部から延びて断面がＬ字状に折れ曲がった片部である。
【００３８】
天井引っ掛け金具１７４ａ，１７４ｂを天井面２に取り付ける場合、この発明における係合孔部に相当する差し込み穴２−２ａ，２−２ｂを天井材２−１に設ける。
次に、天井引っ掛け金具１７４ａ，１７４ｂの引っ掛け片部１７４２ａ，１７４２ｂを差し込み穴２−２ａ，２−２ｂに差し込んで、差し込み穴２−２ａ，２−２ｂの開口縁部に引っ掛ける。
【００３９】
引っ掛け片部１７４２ａ，１７４２ｂが差し込み穴２−２ａ，２−２ｂの開口縁部に引っ掛けられた本体部１７４１ａと本体部１７４１ｂとが重ね合わせられた状態で、本体部１７４１ｂのねじ挿入穴１７４３ｂに通したねじ１７３は、本体部１７４１ａのねじ穴１７４３ａにねじ止めされる。これにより、図８Ｂに示すように天井引っ掛け金具１７４ａ，１７４ｂが天井面２に取り付けられる。
【００４０】
次に、天井引っ掛け金具１７４ａ，１７４ｂの下側から天井固定金具１７１Ｂを取り付ける。このとき、折り曲げ片部１７１１ａ，１７１１ｂの平面部１７１１ａ−１，１７１１ｂ−１は、天井材２−１を挟んで引っ掛け片部１７４２ａ，１７４２ｂと対向する位置に配置される。
【００４１】
また、ねじ１７３ａ，１７３ｂ、ねじ挿入穴１７１５ａ，１７１５ｂおよびねじ穴１７４４ａ，１７４４ｂは、この発明における片部固定部を具体化したものである。
ねじ挿入穴１７１５ａ，１７１５ｂに通したねじ１７３ａ，１７３ｂは、天井引っ掛け金具１７４ａ，１７４ｂのねじ穴１７４４ａ，１７４４ｂにねじ止めされる。このとき、引っ掛け片部１７４２ａ，１７４２ｂと折り曲げ片部１７１１ａ，１７１１ｂとが、差し込み穴２−２ａ，２−２ｂの開口縁部を挟む方向に締め付けられる。これにより、引っ掛け片部１７４２ａ，１７４２ｂと折り曲げ片部１７１１ａ，１７１１ｂとが天井材２−１を挟んだ状態で固定される。
【００４２】
なお、図８Ａから図８Ｃでは、天井引っ掛け金具１７４ａと天井引っ掛け金具１７４ｂとが別個の部材である場合を示したが、これに限定されるものではない。
例えば、天井引っ掛け金具は、ばね等で中央部が折り曲げ自在に接続された本体部と、この本体部の各端部に設けられた引っ掛け片部１７４２ａ，１７４２ｂとを有する、１つの天井引っ掛け金具であってもよい。
この構成では、引っ掛け片部１７４２ａ，１７４２ｂを差し込み穴２−２ａ，２−２ｂに差し込んだ後にばねの弾性力で本体部が板形状に復帰するので、ねじ１７３のねじ止めが不要となる。
【００４３】
次に接続アダプタ１８について説明する。
図９Ａは、天井に設置された照明器具６を示す図である。図９Ｂは、接続アダプタ１８を天井に設置された角型引掛コンセント３に取り付ける様子を示す図である。図９Ｃは、接続アダプタ１８に照明器具６を接続した様子を示す図である。図９Ｄは、接続アダプタ１８に電源接続アダプタ１４と照明器具６とを接続した様子を示す図である。
照明器具６は、照明６ａを点灯させる器具であり、図９Ａに示すように、プラグ６ｂが角型引掛コンセント３に電気的および機械的に接続される。このプラグ６ｂを介して角型引掛コンセント３からの電力は照明６ａへ供給される。
【００４４】
接続アダプタ１８は、配線用接続部１８ａ、アダプタ用接続部１８ｂおよび照明用接続部１８ｃを備え、さらにリモコン受光部１８ｄを備えている。
図９Ｂに示すように、配線用接続部１８ａを角型引掛コンセント３に接続することで、角型引掛コンセント３と接続アダプタ１８とが電気的および機械的に接続される。
この状態で、図９Ｃに示すように、照明器具６のプラグ６ｂを接続アダプタ１８の照明用接続部１８ｃに接続することで、角型引掛コンセント３と照明器具６とが電気的および機械的に接続されて、角型引掛コンセント３からの電力が照明６ａに供給される。
【００４５】
さらに、図９Ｄに示すように、電源接続アダプタ１４を、接続アダプタ１８のアダプタ用接続部１８ｂに接続することで、角型引掛コンセント３と送風装置１０の電源入力コード１５とが電気的および機械的に接続される。これによって、角型引掛コンセント３からの電力が送風装置１０に供給される。
【００４６】
接続アダプタ１８のアダプタケース部１８ｅに制御回路１８ｆを内蔵してもよい。
制御回路１８ｆは、電動機１１２のオンオフ制御と照明器具６のオンオフ制御とを個別に行うことができる。
例えば、制御回路１８ｆには、配線用接続部１８ａを介して角型引掛コンセント３から電力が供給され、リモコン受光部１８ｄにより受光された制御信号に応じて電動機１１２のオンオフ制御および照明器具６のオンオフ制御のうちの少なくとも一方を行う。
【００４７】
なお、電源接続アダプタ１４は、図６および図７を用いて前述したように、ライティングダクト５の電極５２に電気的に接続される電気接点１４４を備えているので、ライティングダクト５があれば、接続アダプタ１８を用いることなくライティングダクト５から直接給電することができる。
【００４８】
以上のように、実施の形態１に係る送風装置１０において、ケーシング部１１は、電動機１１２および電動機１１２によって回転するファン１１３を有する。支持部材１２は、ケーシング部１１を支持する。取り付けプラグ１３は、支持部材１２が取り付けられる。天井固定金具１７１，１７１Ａ，１７１Ｂは、天井材２−１に取り付けられた状態で固定される。取り付けプラグ１３の係合孔部１３２ａ，１３２ｂおよび天井固定金具１７１の係合爪部１７１２ａ，１７１２ｂは、取り付けプラグ１３と天井固定金具１７１，１７１Ａ，１７２Ｂとを連結する。このように構成することで、天井面２を構成する天井材２−１に取り付け固定されるので、ライティングダクト５がない天井面２においても送風装置１０を取り付けることができる。
【００４９】
また、実施の形態１に係る送風装置１０において、天井材２−１に取り付けられた状態で固定されて天井材２−１を挟んだ状態で固定される。
このように構成することで、ライティングダクト５がない天井面２においても送風装置１０を確実に取り付けることができる。
【００５０】
さらに、実施の形態１に係る送風装置１０は、折れ曲がった板状の引っ掛け片部１７４２ａ，１７４２ｂと、折れ曲がった板状の折り曲げ片部１７１１ａ，１７１１ｂとを備える。さらに、ねじ１７３ａ，１７３ｂ、ねじ挿入穴１７１５ａ，１７１５ｂおよびねじ穴１７４４ａ，１７４４ｂは、片部固定部を構成する。片部固定部は、折り曲げ片部１７１１ａ，１７１１ｂと引っ掛け片部１７４２ａ，１７４２ｂとが差し込み穴２−２ａ，２−２ｂの開口縁部を挟んだ状態を固定する。
このように構成することで、ライティングダクト５がない天井面２においても送風装置１０を確実に取り付けることができる。
【００５１】
さらに、実施の形態１に係る送風装置１０は、電源接続アダプタ１４、電源入力コード１５および電源出力コード１６を備える。電源接続アダプタ１４は、取り付けプラグ１３とは別体に構成され、天井材２−１に設けられた角型引掛コンセント３と電気的に接続する。電源入力コード１５および電源出力コード１６は、電動機１１２と電源接続アダプタ１４とを電気的に接続する。このように構成することにより、既存の照明設備における角型引掛コンセント３からの給電が可能になる。
【００５２】
さらに、実施の形態１に係る送風装置システム１は、上記送風装置１０と、角型引掛コンセント３に接続される配線用接続部１８ａ、電源接続アダプタ１４が接続されるアダプタ用接続部１８ｂおよび照明用接続部１８ｃを有した接続アダプタ１８とを備える。
このように構成することで、既存の照明設備における角型引掛コンセント３からの給電が可能な送風装置システム１を実現することができる。
【００５３】
さらに、実施の形態１に係る送風装置システム１において、接続アダプタ１８は、電動機１１２の動作を制御する制御回路１８ｆを有する。制御回路１８ｆは、リモコン受光部１８ｄによって受光された制御信号に応じて電動機１１２のオンオフ制御および照明器具６のオンオフ制御のうちの少なくとも一方を行う。
このように構成することで、リモコン４を用いた遠隔操作が可能な送風装置システム１を実現することができる。
【００５４】
なお、本発明はその発明の範囲内において、実施の形態の任意の構成要素の変形、もしくは実施の形態の任意の構成要素の省略が可能である。
【符号の説明】
【００５５】
１  送風装置システム、２  天井面、２−１  天井材、２−２ａ，２−２ｂ  差し込み穴、３  角型引掛コンセント、４  リモコン、５  ライティングダクト、６  照明器具、６ａ  照明、６ｂ  プラグ、１０  送風装置、１１  ケーシング部、１２，１２Ａ  支持部材、１３，１３Ａ  取り付けプラグ、１４  電源接続アダプタ、１５  電源入力コード、１６  電源出力コード、１７，１７Ａ  天井取り付け部、１８  接続アダプタ、１８ａ  配線用接続部、１８ｂ  アダプタ用接続部、１８ｃ  照明用接続部、１８ｄ  リモコン受光部、１８ｅ  アダプタケース部、１８ｆ  制御回路、５１，１４２  係合部、５２  電極、１１１  本体ケーシング、１１２  電動機、１１３  ファン、１１４  吸い込み口、１１５  吹き出し口、１２１，１２３  プラグ側連結部、１２２，１２４  ケーシング側連結部、１３１，１４１  プラグケース、１３２ａ，１３２ｂ，１７１４ａ，１７１４ｂ  係合孔部、１３２ａ−１，１３２ｂ−１，１７１４ａ−１，１７１４ｂ−１  拡大穴部、１３３ａ，１３３ｂ  係合爪部、１４３  金属フック、１４４  電気接点、１７１，１７１Ａ，１７１Ｂ  天井固定金具、１７２  化粧カバー、１７３，１７３ａ，１７３ｂ  ねじ、１７４ａ，１７４ｂ  天井引っ掛け金具、１７１０，１７１０Ａ，１７４１ａ，１７４１ｂ  本体部、１７１１ａ，１７１１ｂ  折り曲げ片部、１７１１ａ−１，１７１１ｂ−１  平面部、１７１２ａ，１７１２ｂ  係合爪部、１７１３ａ，１７１３ｂ，１７１５ａ，１７１５ｂ，１７４３ｂ  ねじ挿入穴、１７４２ａ，１７４２ｂ  引っ掛け片部、１７４３ａ，１７４４ａ，１７４４ｂ  ねじ穴。
【図１】
2017198106.tif 000003
【図２】
2017198106.tif 000004
【図３】
2017198106.tif 000005
【図４】
2017198106.tif 000006
【図５】
2017198106.tif 000007
【図６】
2017198106.tif 000008
【図７】
2017198106.tif 000009
【図８】
2017198106.tif 000010
【図９】
2017198106.tif 000011